【手続補正書】
【提出日】平成27年8月24日(2015.8.24)
【手続補正１】
【補正対象書類名】特許請求の範囲
【補正対象項目名】全文
【補正方法】変更
【補正の内容】
【特許請求の範囲】
【請求項１】
複数のビームを構成できる無線通信システムの送信機で信号を送信するための方法であって、
複数の送信ビームを介して多数の基準信号を受信機に送信する段階と、
前記受信機から多数の基準信号のチャネル情報を受信する段階と、
前記受信機から提供された多数の基準信号のチャネル情報を考慮して前記受信機に信号を送信するための第１送信ビームを選択する段階と、
前記第１送信ビーム及び第２送信ビームの識別情報を考慮して、前記第２送信ビームから前記第１送信ビームにスイッチングするかを決定する段階と、を含む方法。
【請求項２】
前記基準信号は、セル識別情報、セクタ識別情報、ビーム識別情報及びビームの負荷情報のうち少なくとも１つを含む請求項１に記載の方法。
【請求項３】
前記第１送信ビームを選択する段階は、
前記受信機から提供された前記多数の基準信号のチャネル情報及び各送信ビームの負荷情報を考慮して前記第１送信ビームを選択する段階を含む請求項１に記載の方法。
【請求項４】
第１送信ビームを選択する段階は、
前記受信機が受信ビームフォーミングをサポートする場合、前記受信機から提供された各受信ビームに対する少なくとも１つの送信ビームのチャネル情報及び各送信ビームの負荷情報のうち少なくとも１つを考慮して前記第１送信ビームを選択する過程を含む請求項１に記載の方法。
【請求項５】
前記第２送信ビームから前記選択された前記第１送信ビームにスイッチングするかを決定する段階は、
前記第１送信ビームの識別情報と第２送信ビームの識別情報とを比較する段階と、
前記第１送信ビーム及び第２送信ビームのセル識別情報並びにセクタ識別情報がそれぞれ同じで、ビーム識別情報が互いに異なる場合、前記受信機に対する送信ビーム変更を行う段階を含み、
前記第２送信ビームは、前記受信機に信号を送信するために使用したビームを含む請求項１に記載の方法。
【請求項６】
前記第２送信ビームから前記選択された前記第１送信ビームにスイッチングするかを決定する段階は、
前記第１送信ビーム及び第２送信ビームのセル識別情報が互いに異なる場合、前記受信機に対するセル間ハンドオーバを行う段階を含む請求項５に記載の方法。
【請求項７】
前記第２送信ビームから前記選択された前記第１送信ビームにスイッチングするかを決定する段階は、
前記第１送信ビーム及び第２送信ビームのセル識別情報並びにセクタ識別情報がそれぞれ同じ場合、前記受信機に対するセクタ間ハンドオーバを行う段階を含む請求項５に記載の方法。
【請求項８】
複数のビームを構成できる無線通信システムの送信機の装置であって、
複数のアンテナ要素で構成される少なくとも１つのアンテナ部と、
受信機から複数の基準信号のチャネル情報を受信する受信部と、
前記受信部を介して前記受信機から提供された複数の基準信号のチャネル情報を考慮して受信機に信号を送信するための第１送信ビームを選択するビーム設定部と、
前記第１送信ビーム及び第２送信ビームの識別情報を考慮して、前記第２送信ビームから前記第１送信ビームにスイッチングするかを決定する制御部と、
それぞれのアンテナ要素に接続され、前記少なくとも１つの送信ビームを介して基準信号を送信し、前記ビーム設定部で選択した第１送信ビームを用いて前記受信機に信号を送信するようにビームを形成する複数のＲＦ経路と、を含む装置。
【請求項９】
前記基準信号は、セル識別情報、セクタ識別情報、ビーム識別情報及びビームの負荷情報のうち少なくとも１つを含む請求項８に記載の装置。
【請求項１０】
前記ビーム設定部は前記受信機から提供された少なくとも１つの送信ビームに対するチャネル情報及び各送信ビームの負荷情報を考慮して前記第１送信ビームを選択することである請求項８に記載の装置。
【請求項１１】
前記ビーム設定部は、前記受信機が受信ビームフォーミングをサポートする場合、前記受信機から提供された各受信ビームに対する少なくとも１つの送信ビームのチャネル情報及び各送信ビームの負荷情報のうち少なくとも１つを考慮して前記第１送信ビームを選択することである請求項８に記載の装置。
【請求項１２】
前記制御部は前記第１送信ビーム及び第２送信ビームのセル識別情報並びにセクタ識別情報がそれぞれ同一で、ビーム識別情報が互いに異なる場合、前記受信機に対するビーム変更を行うことを含み、
前記第２送信ビームは、前記受信機に信号を送信するために使用したビームを含むものである請求項８に記載の装置。
【請求項１３】
前記制御部は前記第１送信ビーム及び第２送信ビームのセル識別情報が互いに異なる場合、前記受信機に対するセル間ハンドオーバを行い、
前記第１送信ビーム及び第２送信ビームのセル識別情報並びにセクタ識別情報がそれぞれ同じ場合、前記受信機に対するセクタ間ハンドオーバを行う請求項１２に記載の装置。
【請求項１４】
前記制御部は前記第１送信ビーム及び第２送信ビームのセル識別情報並びにセクタ識別情報がそれぞれ同じ場合、前記受信機に対するセクタ間ハンドオーバを行う段階を含む請求項１２に記載の装置。
【請求項１５】
複数のビームを構成できる無線通信システムの受信機でビームのチャネル情報を確認するための方法であって、
複数の送信ビームを含む複数の基準信号を送信機から受信する段階と、
前記複数の送信ビームを介して受信した前記複数の基準信号のチャネルを推定する段階と、
前記複数の基準信号の各チャネル情報を考慮して、送信機が信号を送信するために使用する第１送信ビームを選択する段階と、
前記第１送信ビーム及び第２送信ビームの識別情報を考慮して、前記第２送信ビームから前記選択された前記第１送信ビームにスイッチングを要求する段階と、を含む方法。
【請求項１６】
前記基準信号は、セル識別情報、セクタ識別情報、ビーム識別情報及びビームの負荷情報のうち少なくとも１つを含む請求項１５に記載の方法 。
【請求項１７】
前記第１送信ビームを選択する段階は、
前記複数の基準信号のチャネル情報及び各送信ビームの負荷情報を考慮して前記第１送信ビームを選択する段階を含む請求項１５に記載の方法。
【請求項１８】
第１送信ビームを選択する段階は、
前記受信機が受信ビームフォーミングをサポートする場合、前記受信機から提供された各受信ビームに対する少なくとも１つの送信ビームのチャネル情報及び各送信ビームの 負荷情報のうち少なくとも１つを考慮して前記第１送信ビームを選択する段階を含む請求項１５に記載の方法。
【請求項１９】
前記第２送信ビームから前記選択された前記第１送信ビームにスイッチングを要求する段階は、
前記第１送信ビームの識別情報と第２送信ビームの識別情報とを比較する段階と、
前記第１送信ビーム及び第２送信ビームのセル識別情報並びにセクタ識別情報がそれぞれ同じで、ビーム識別情報が互いに異なる場合、前記受信機に対する送信ビーム変更を行う段階と、を含み、
前記第２送信ビームは、前記受信機に信号を送信するために使用したビームを含む請求項１５に記載の方法。
【請求項２０】
前記第２送信ビームから前記選択された前記第１送信ビームにスイッチングを要求する段階は、
前記第１送信ビーム及び第２送信ビームのセル識別情報が互いに異なる場合、前記受信機に対するセル間ハンドオーバを行う段階を含む請求項１５に記載の方法。
【請求項２１】
前記第２送信ビームから前記選択された前記第１送信ビームにスイッチングを要求する段階は、
前記第１送信ビーム及び第２送信ビームのセル識別情報並びにセクタ識別情報がそれぞれ同じ場合、前記受信機に対するセクタ間ハンドオーバを行う段階を含む請求項１５に記載の方法。
【請求項２２】
前記少なくとも１つの送信ビームのチャネルを推定した後、前記複数の基準信号のそれぞれのチャネル情報を前記送信機にフィードバックする段階をさらに含む請求項１５に記載の方法。
【請求項２３】
複数のビームを構成できる無線通信システムの受信機の装置であって、
複数の送信ビームを含む複数の基準信号を送信機から受信する受信部と、
前記複数の送信ビームを介して受信した前記複数の基準信号のチャネルを推定するチャネル推定部と、
前記複数の基準信号の各チャネル情報を考慮して、前記送信機が信号を送信するために使用する第１送信ビームを選択し、前記第１送信ビーム及び第２送信ビームの識別情報を考慮して、前記第２送信ビームから前記第１送信ビームにスイッチングを要求する制御部と、を含む装置。
【請求項２４】
前記基準信号は、セル識別情報、セクタ識別情報、ビーム識別情報及びビームの負荷情報のうち少なくとも１つを含む請求項２３に記載の装置。
【請求項２５】
前記制御部は、前記複数のチャネル情報及び各送信ビームの基準信号に含まれた負荷情報を考慮して前記第１送信ビームを選択することである請求項２３に記載の装置。
【請求項２６】
前記制御部は、前記受信機が受信ビームフォーミングをサポートする場合、前記受信機から提供された各受信ビームに対する少なくとも１つの送信ビームのチャネル情報及び各送信ビームの負荷情報のうち少なくとも１つを考慮して前記第１送信ビームを選択する段階を含む請求項２３に記載の装置。
【請求項２７】
前記受信機が受信ビームフォーミングをサポートする場合、各受信ビームに対する少なくとも１つの送信ビームのチャネル情報及び各送信ビームの基準信号に含まれた負荷情報のうち少なくとも１つを考慮して前記第１送信ビームを選択することである請求項２３に記載の装置。
【請求項２８】
前記スイッチングを要求することは、
前記第１送信ビーム及び第２送信ビームのセル識別情報並びにセクタ識別情報がそれぞれ同じで、ビーム識別情報が互いに異なる場合、前記制御部は前記送信機にビーム切り替えを要求することを含み、
前記第２送信ビームは、前記受信機に信号を送信するために使用したビームを含む請求項２３に記載の装置。
【請求項２９】
前記第１送信ビーム及び第２送信ビームのセル識別情報が互いに異なる場合、前記受信機に対するセル間ハンドオーバを要求する請求項２３に記載の装置。
【請求項３０】
前記第１送信ビーム及び第２送信ビームのセル識別情報並びにセクタ識別情報がそれぞれ同じ場合、前記受信機に対するセクタ間ハンドオーバを要求する請求項２３に記載の装置。
【請求項３１】
前記制御部は、前記少なくとも１つの送信ビームのチャネル情報を前記送信機にフィードバックする請求項２３に記載の装置。